(57)【特許請求の範囲】
【請求項１】
建物内の通路に平行な第一壁体の室内側を区画形成することで通路に沿って隣接するようにして設けられる複数の居室の出入り口部を開閉するドア装置において、出入り口部は前記通路に面した第一壁体に形成されるものであり、各居室のドア装置を、出入り口部に固定されるドア枠と、該ドア枠に開閉自在に設けられるドア体とにより構成するにあたり、ドア枠に、ドア体の通路側のドア面より通路側に突出する通路側突出部を設け、居室を識別する表示部を、該ドア枠の通路の進行方向先側に位置する縦枠の通路側突出部における見込み面に統一して設けて、通路手前側から先側を見渡したときに隣接するものも含めて奥側のものまで視認できるように構成したことを特徴とする建物用のドア装置。
【請求項２】
建物内の通路に平行な第一壁体の室内側を区画形成することで通路に沿って隣接するようにして設けられる複数の居室の出入り口部を開閉するドア装置において、出入り口部は前記通路に面した第一壁体に形成されるものであり、各居室のドア装置を、出入り口部に固定されるドア枠と、該ドア枠に開閉自在に設けられるドア体とにより構成するにあたり、ドア枠に、ドア体の通路側のドア面より通路側に突出する通路側突出部を設け、各ドア枠の進行方向先側に位置する縦枠の通路側突出部を、居室を識別する表示部を設けるための見込み面として統一し、通路手前側から先側を見渡したときに隣接するものも含めて奥側の表示部まで視認できるように構成したことを特徴とする建物用のドア装置。
【請求項３】
表示部は、照明手段により直接、または、間接照射される構成としたことを特徴とする請求項１または２に記載の建物用のドア装置。
【請求項４】
照明手段は、ドア枠を構成する上枠に設けられていることを特徴とする請求項３に記載の建物用のドア装置。
【発明の詳細な説明】
【技術分野】
【０００１】
本発明は、ホテルや病院等のように、通路に沿って複数の居室が設けられるような建築物における建物用のドア装置の技術分野に関するものである。
【背景技術】
【０００２】
一般に、ホテルや病院の入院病棟等の建物のなかには、通路に沿って客室、または、病室となる居室が複数設けられていることがあり、この場合に、これら複数の居室出入り口部には同様のドア装置が設けられており、各居室に表示部を設けることにより各居室を識別するようにしている。ところで、前記表示部は、ドア装置を構成するドア体の通路側のドア面や、ドア装置の側部となる躯体壁面に設けられるのが一般であり、利用者は、居室を探す場合にドア体の前まで行かないと居室を識別することはできない。このため、例えばホテルのエレベータホールから複数の通路が分岐して設けられ、各通路に複数の客室が配置されているような場合では、利用者が通路を見渡しただけでは部屋番号を確認することはできず、目的の客室を見つけるためには、いちいちエレベータホールに設けられる見取り図を見る等の手間が必要となって煩わしいという問題がある。
ところで、寝台列車等の車両において、車両の幅方向一側に通路を形成し、該通路に沿って複数の客室が設けられたような場合に、隣り合う客室の隣接部に、該隣接部を溝奥とし、通路側の壁面から所定の角度を存して傾斜する溝側面を有した凹状部を形成し、前記傾斜する溝側面（斜行壁面）を各居室への出入り口部とするとともに、前記斜行壁面に部屋番号（表示部）を設ける構成として、客室を探して通路を歩行した場合に、客室の前に立つ以前の段階で表示部を確認できるようにしたものが提唱されている。
【先行技術文献】
【特許文献】
【０００３】
【特許文献１】特開平５−１３９２９９号公報
【発明の概要】
【発明が解決しようとする課題】
【０００４】
しかしながら、前記従来のものは、ドア装置を傾斜状に設けるために客室側に向けて凹部を形成しているので、客室の有効面積が小さくなってしまうという問題がある。さらに、このものでは、ドア装置が通路に対して傾斜状に設けられているために、ドア体を開放した場合では、客室の前の通路を歩行する人だけでなく、客室から離れた位置の通路を歩行する人からも室内が見えてしまうことがあるという別の問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、建物内の通路に平行な第一壁体の室内側を区画形成することで通路に沿って隣接するようにして設けられる複数の居室の出入り口部を開閉するドア装置において、出入り口部は前記通路に面した第一壁体に形成されるものであり、各居室のドア装置を、出入り口部に固定されるドア枠と、該ドア枠に開閉自在に設けられるドア体とにより構成するにあたり、ドア枠に、ドア体の通路側のドア面より通路側に突出する通路側突出部を設け、居室を識別する表示部を、該ドア枠の通路の進行方向先側に位置する縦枠の通路側突出部における見込み面に統一して設けて、通路手前側から先側を見渡したときに隣接するものも含めて奥側のものまで視認できるように構成したことを特徴とする建物用のドア装置である。
請求項２の発明は、建物内の通路に平行な第一壁体の室内側を区画形成することで通路に沿って隣接するようにして設けられる複数の居室の出入り口部を開閉するドア装置において、出入り口部は前記通路に面した第一壁体に形成されるものであり、各居室のドア装置を、出入り口部に固定されるドア枠と、該ドア枠に開閉自在に設けられるドア体とにより構成するにあたり、ドア枠に、ドア体の通路側のドア面より通路側に突出する通路側突出部を設け、各ドア枠の進行方向先側に位置する縦枠の通路側突出部を、居室を識別する表示部を設けるための見込み面として統一し、通路手前側から先側を見渡したときに隣接するものも含めて奥側の表示部まで視認できるように構成したことを特徴とする建物用のドア装置である。
請求項３の発明において、表示部は、照明手段により直接、または、間接照射される構成としたことを特徴とする請求項１または２に記載の建物用のドア装置である。
請求項４の発明において、照明手段は、ドア枠を構成する上枠に設けられていることを特徴とする請求項３に記載の建物用のドア装置である。
【発明の効果】
【０００６】
請求項１、２の発明とすることにより、容易に目的とする居室を見つけることが可能なうえ、ドア枠の縦枠材に設けることで、表示部用の部材を格別設けることなく、しかも、居室の有効面積を損なうことがないようにできる。
請求項３、４の発明とすることにより、表示部が一層明確に表示されて視認度を向上できるうえ、通路の照明を補助することができる。
【図面の簡単な説明】
【０００７】
【図１】ホテルの客室フロアの概略平面図である。
【図２】ホテルの客室フロアの斜視図である。
【図３】図３（Ａ）、（Ｂ）はそれぞれドア装置の正面図、背面図である。
【図４】図４（Ａ）、（Ｂ）はそれぞれドア装置の一部を切欠いた平面断面図、側面断面図である。
【図５】図５（Ａ）、（Ｂ）、（Ｃ）はそれぞれドア装置の照明手段を説明する側面断面図、正面断面図、底面断面図である。
【図６】第二の実施の形態におけるドア装置の平面断面図である。
【発明を実施するための形態】
【０００８】
以下、本発明の第一の実施の形態について、図面に基づいて説明する。
図１は、ホテルの上階（本実施の形態では５階）に設けられる客室フロアの平面図であって、該図面において、１はロビーやフロントにアクセスするためのエレベータ装置であり、該エレベータ装置１の昇降口前方には、エレベータホール（踊り場）２が設けられている。前記エレベータホール２には、右方へ向けて延出する通路３が形成されており、該通路３の両側には複数の客室４が設けられている。
尚、本実施の形態では、通路３の両側にそれぞれ客室４が設けられており、これら各客室４には、図１に示すように、「５０１」から始まる部屋番号がそれぞれ付与されて、それぞれを識別するように構成されいる。
【０００９】
前記各客室４は、図１から明らかなように通路３に平行な第一壁体５と、該通路３の延出方向に直交する第二壁体６とにより室内側を区画形成されることで通路３に沿って隣接しており、通路３に面した第一壁体５には、各客室４への出入りをするための四角形状の出入り口部５ａが形成されており、これら出入り口部５ａに、本発明が実施されたドア装置７がそれぞれ設けられている。
尚、隣り合う二つの客室４の出入り口部５ａは隣接して形成されており、これら隣接する出入り口部５ａには、それぞれ左右方向勝手違いに構成されたドア装置７が設けられている。
【００１０】
ここで、客室４に設けられるドア装置７は全て同様の基本構成を有しており、ドア装置７を詳細に説明するにあたり、図１において「５０２」として図示されている５０２号の客室４のドア装置７について、図３、４、５の図面基づいて説明する。
前記ドア装置７は、第一壁体５に開設された四角形状の出入り口部５ａを囲繞するように固定されるドア枠８と、該ドア枠８に開閉揺動自在に支持されるドア体９とにより構成されている。
前記ドア枠８は、ドア装置７を通路３側（室外側）から目視したときを基準として、左右一対の左、右縦枠材（本発明の縦枠に相当する）８ａ、８ｂと、これら左、右縦枠材８ｃ、８ｂの上下端部同士をそれぞれ連結する上、下横枠材８ｃ、８ｄとにより構成されている。そして、ドア体９は、図３（Ｂ）、図４（Ａ）に示すように、左縦枠材８ａの室内側部位とドア体９の左側端部の室内側面との間に設けられる上下一対のピボットヒンジ１０により開閉揺動自在に支持されており、出入り口部５ａを閉鎖する全閉姿勢と、室内側に向けて揺動して出入り口部５ａを開放する開放姿勢との間を揺動変姿するように構成されている。
【００１１】
前記ドア枠８は、図４に示すように、下横枠材８ｄは、全閉姿勢のドア体９のドア厚と略同様の枠幅に形成されているが、左、右縦枠材８ａ、８ｂと上横枠材８ｃとは、それぞれドア体９のドア厚よりも長い枠幅を有して形成されており、全閉姿勢のドア体９は、各枠材８ａ、８ｂ、８ｃの室内側部位に偏寄して納まるように構成されている。そして、前記各枠材８ａ、８ｂ、８ｃのドア厚方向（室内外方向）中間部には、全閉姿勢のドア体９の外側面（通路３側の面）９ａの左、右、および、上の各端部に当接する緩衝部材１１が設けられる戸当たり部８ｅが形成され、これら戸当たり部８ｅよりも外側（通路側）に突出し、全閉姿勢のドア体９の外側面（通路側面）９ａよりも通路３側（室外側）に位置する部位は、通路３の進行方向に対して直交状に突出する延出片部（本発明の通路側突出部に相当する）８ｆ、８ｇ、８ｈに構成されている。そして、前記各延出片部８ｆ、８ｇ、８ｈの外側端部と、第一壁体５の通路側面とは、ほぼ面一状となる仕上げ状態となっている。
これによって、全閉姿勢のドア体９は、第一壁体５の通路側面よりも僅かに客室側に偏寄して位置しており、全閉姿勢のドア体９に対し通路３側に直交状に突出する各延出片部８ｆ、８ｇ、８ｈの見込み面が、通路３側に向けて露出するように設定されている。
尚、下横枠材８ｄは、床部表面を構成する仕上げ材１２から突出することがないよう仕上げ材１２に埋設状に配設されている。
【００１２】
このように構成された客室フロアにおいて、エレベータホール２に降り立った宿泊客は、通路３を客室４側に向かって見渡しながら客室４側に進行し、目的とする客室４を探すことになるが、この場合に例えば図２から明らかなように、各客室４のドア装置７において、枠材８を構成する左、右縦枠材８ａ、８ｂのうち、通路３の進行方向先側に位置する縦枠材８ａまたは８ｂであって、５０２号室においては右縦枠材８ｂの通路３側に突出（露出）する延出片部８ｇの見込み面における上方部位に統一する状態で、各居室を識別するための部屋番号からなる表示部１３が設けられている。尚、５０２号室に対し、通路３を挟んで向かい側に設けられる客室４のドア装置７については、通路３側からドア枠８を目視したとき、左縦枠材８ａの通路３側に突出する延出片部８ｆの上方部位に表示部１３が設けられている。
ここで、本実施の形態の縦枠材８ａまたは８ｂは、表面黒色塗装されて構成される一方、表示部１３は表面白色塗装された薄板材を所望の数字に打ち抜き形成することにより構成されている。そして、各客室４の表示部１３は、ドア枠８において通路３の進行方向先側に位置する縦枠材８ａまたは８ｂの通路３側に対して直交状に突出して通路３側に露出する延出片部８ｆまたは８ｇの見込み面上方に貼着等の手段により固定されている。
これによって、宿泊客がエレベータホール２から通路３側を向いた場合に、図２に示すように、通路３に沿って配置されている複数の客室４の表示部１３を隣接するものも含めて通路の奥側のものまで見渡すことができて、宿泊客が目的とする客室番号を見つけるのが容易になるように構成されている。
【００１３】
さらに、本実施の形態では、表示部１３を照明手段１４により直接、または、間接的に照射するように構成されており、これによって、表示部１３が一層際立って、遠方からも容易に識別することができるように構成されている。
本実施の形態の照明手段１４は、図５に示すように、上横枠材８ｃの通路３側に突出する延出片部８ｈに埋設される構成となっている。つまり、上横枠材延出片部８ｈには、表示部１３が設けられる縦枠材延出片部８ｆまたは８ｇ側に偏寄して貫通孔８ｉが開設される一方、該貫通孔８ｉには、第一壁体５と上横枠材延出片部８ｈとのあいだに内装されるボックス形状のケース体１４ａの開口端が対向するように設けられている。そして、ケース体１４ａに燈体１４ｂが支持されているが、本実施の形態の燈体１４ｂは、指向性の強いＬＥＤを用いて構成されているため、燈体１４ｂの照射方向が表示部１３に向けて支持されており、これによって、燈体１４ｂが点灯した場合に、表示部１３が燈体１４ｂにより直接的に照射されて、表示部１３の視認度が高められるように構成されている。尚、燈体１４ｂを、従来の電球のように指向性の弱いものとして、表示部１３を間接的に照射するように構成してもよく、このような場合でも、表示部１３の視認度を高めることができる。
また、１４ｃは上横枠材延出片部８ｈに開設された貫通孔８ｉを覆蓋する透光性樹脂材で形成されたプレート体である。
【００１４】
叙述の如く構成された本形態において、通路３に沿って複数設けられる客室４には、これら客室４を個別に識別するための部屋番号が表示部１３として設けられるが、該表示部１３は、各客室４に設けられるドア装置７を構成し、第一側壁５の壁厚内に配されるドア枠８の、通路３の進行方向先側に位置する縦枠材８ａまたは８ｂから、通路３に対して直交状に延出する延出片部８ｆまたは８ｇであって、通路３に対して直交状に突出して露出する見込み面部位に設けられているので、宿泊客は、通路３手前側から先側を見渡したときに、例えば図２から明らかなように隣接するものも含めて手前側の客室４の表示部１３から奥側の客室４の表示部１３までをも視認することができて、エレベータホール２に設けられる見取り図等をわざわざ確認するまでもなく、エレベータホール２から通路３先側を見渡すことで部屋番号を確認することができ、容易に目的とする客室４を見つけることが可能となる。しかも、このものでは、表示部１３をドア枠８の縦枠材８ａまたは８ｂの延出片部８ｆ、８ｇに設ける構成としたので、遠方の表示部まで視認するのが容易なうえ、ドア枠８の縦枠材８ａまたは８ｂに設けられているので、表示部１３を設けるための部材を各別に設ける必要がなく、しかも、各客室４の有効面積を損なうことがない。そのうえ、ドア装置７は通路３に沿って平行な状態であるので、通路の歩行者から覗かれる惧れも低減できるという利点もある。
【００１５】
さらに、このものでは、表示部１３を上横枠材８ｃに内装した照明手段１４である燈体１４ｂにより直接的に照射するようにしたので、表示部１３が一層明確に表示されて確認が容易になる。また、通路３に採光がないような建築物である場合に、これら照明手段１４が通路３の照明を補助することができ、照明手段１４を間接照明としたような場合も含めて、通路３を照明するための照明手段を少なくできるという利点もある。
【００１６】
尚、本発明は前記実施の形態に限定されないことは勿論であって、表示部を照明する照明手段としては、ドア枠に内装、外装の何れの状態であってもよく、また、表示部が設けられる縦枠材に対向する縦枠材側に設けることも可能であり、要は、表示部を直接的、または、間接的に照射できる照明手段を何れかの箇所に設ければよい。また、表示部を透光性部材で形成し、該表示部が設けられる縦枠材に照明手段を内装し、表示部を背後から照射するように構成してもよい。
また、表示部自体を発光手段を用いて形成するようにしてもよく、照明手段としては、表示部が直接、または、間接照射されたり、あるいは、発光等して、視認度が向上される構成であれば何れの手段であっても採用することができる。
【００１７】
さらに、図６に示す第二の実施の形態のように構成することもできる。
前記第二の実施の形態において、通路に沿って配置される複数の客室に設けられるドア装置１５は、壁体１６に形成される出入り口部１６ａに固定されるドア枠１７と、該ドア枠１７に対してスライド移動するドア体１８とにより構成されている。そして、ドア体１８は、ドア枠１７に囲繞される開口を閉鎖する全閉姿勢から、壁体１６の内側面（室内側面）に沿ってスライド移動してドア枠１７により囲繞される開口を開放する開放姿勢とに変姿するように構成されている。このものにおいて、ドア枠１７の左、右縦枠材１７ａ、１７ｂには、それぞれドア体１８の通路側面よりも通路側に突出する通路側突出片部１７ｃ、１７ｄが形成されており、通路の進行方向先側に位置する縦枠材であって、本実施の形態では右縦枠材１７ｂの通路側突出片部１７ｄの通路側に露出する見込み面上方に表示部１３が設けられている。これによって、前記第一の実施の形態と同様に、各部屋の表示部１３を通路の手前側から視認することができて、目的の客室を容易に見つけることが可能となる。
【産業上の利用可能性】
【００１８】
本発明は、建物内の通路に沿って複数の客室が設けられるホテルや病院等の建築物に対して利用することができる。
【符号の説明】
【００１９】
１  エレベータ装置
２  エレベータホール
３  通路
４  客室
５  第一壁体
５ａ  出入り口部
７  ドア装置
８  ドア枠
８ａ  左縦枠材
８ｂ  右縦枠材
８ｃ  上横枠材
８ｆ  延出片部
９  ドア体
１０  ピボットヒンジ
１３  表示部
【図１】
0005436124.tif 000002
【図２】
0005436124.tif 000003
【図３】
0005436124.tif 000004
【図４】
0005436124.tif 000005
【図５】
0005436124.tif 000006
【図６】
0005436124.tif 000007